(57)【要約】【課題】木製の外観を確保しつつ、容易に新規な外観が得られるような容器の提供。【解決手段】底板部１３と、該底板部１３を囲む周壁部１４とで凹所１２を形成する容器１１であって、上記底板部１３を、透光性を有する透光性材料で形成し、上記周壁部１４を、木材で形成した容器１１。【選択図】　　図１
0003098664.tif 000002
【実用新案登録請求の範囲】
【請求項１】
底板部と、該底板部を囲む周壁部とで凹所を形成する容器であって、
上記底板部を、透光性を有する透光性材料で形成し、
上記周壁部を、木材で形成した
容器。
【請求項２】
前記底板部を、ガラスで形成した
請求項１に記載の容器。
【請求項３】
前記周壁部の上端縁における少なくとも一部の厚みを、それよりも下側の部分の厚みよりも薄く設定した
請求項１または２に記載の容器。
【請求項４】
前記周壁部の上端部における外側面及び／又は内側面を傾斜面で形成した
請求項３に記載の容器。
【請求項５】
前記上端縁の厚みを、該上端縁を人体の唇に当てたときに唇に埋没して、上記上端縁の唇近傍の上面と、唇の上面とが面一になる厚みに設定した
請求項３または４に記載の容器。
【考案の詳細な説明】
【０００１】
【考案の属する技術分野】
この考案は、例えば飲料や食料を入れるのに適した容器に関する。
【０００２】
【従来の技術】
上述例のような容器には、陶磁器のほか、ガラスや合成樹脂、金属、木材等の材料からなるものがあり、それぞれに、材質固有の雰囲気を有する。
【０００３】
中でも木製の容器は、和の雰囲気を得るのに適している。
【０００４】
しかし木製の容器は、椀やコップなど多くの場合、木材を切削して形成した一部材からなるものである。このため、例えば新規な意匠観を得るには、主に形状に工夫を凝らす必要があった。中には、実開昭６０−６４７３号や実開昭５３−１０１７７８号に開示されているように、金属製の部材と組み合わせるものがあったが、これらは外観上もっとも目立つ部分を金属で形成したものであって、木製の容器としての観はない。つまり木の良さを主として表すものではなく、和の雰囲気を持たない。
【０００５】
【考案が解決しようとする課題】
そこでこの考案は、木製の外観を確保しつつ木の良さを生かし、容易に新規な外観が得られるような容器の提供を主たる課題とする。
【０００６】
【課題を解決するための手段】
そのための手段は、底板部と、該底板部を囲む周壁部とで凹所を形成する容器であって、上記底板部を、透光性を有する透光性材料で形成し、上記周壁部を、木材で形成した容器であることを特徴とする。
【０００７】
すなわち、容器の中で最も目立つ周壁部が木製であるので、木製容器としての外観が得られ、その上、飲料が透光性を有する場合や、盛り付けた食料の周りに底板部を露出させた場合などには、凹所を上から見たときに接地面が透けて見えるので、これまでの容器とは異なった新規な雰囲気が得られる。
【０００８】
上記底板部は、ガラスで形成するとよい。ガラスは木材よりも比重が大きいので、接地時の安定感を良くすることができるとともに、手に持ったときに木製の容器とは異なった重量感を得ることができる。
【０００９】
また、上記周壁部の上端縁における少なくとも一部の厚みを、それよりも下側の部分の厚みよりも薄く設定するとよい。
【００１０】
上記上端縁の厚みは、該上端縁を人体の唇に当てたときに唇に埋没して、上記上端縁の唇近傍の上面と、唇の上面とが面一になる厚み、例えば５ｍｍ以下に設定するのが好ましい。
【００１１】
【考案の効果】
以上のように、この考案によれば、底板部と周壁部とからなる容器のうち、底板部をガラス等の透光性材料で形成し、その他の周壁部を木材で形成したので、横から見た時には木材のみが見え、上から見た時と下から見た時には木材に囲まれた透光性材料が見え、斜め上から見た時には容器の形態にもよるが、木材に囲まれた中に透光性材料が見える状態である。
【００１２】
つまり、全体として木材部分がもっともよく見えるわけであって、容器を上から見れば底板部が見えるとともに、その下の様子まで透けて見える。また下から光が入れば、内容物を照らせるので、内容物によっては見た目に美しさを得られ、その場の演出効果が期待できる。このように透光性材料の存在により、新規な外観が得られる。
【００１３】
しかも、外観上もっとも目立つ部分は木材からなるので、木製の容器としての外観を得られ、和の雰囲気を有する容器とすることができる。
【００１４】
底板部を、木材よりも比重の大きいガラスで形成すると、重心を低くすることができ、接地時の安定感を良くすることができる。また、手に持ったときに木材のみからなる容器とは異なった重量感を得ることもでき、外観以外の実質的な使用感においても、新規な容器を得ることができる。
【００１５】
周壁部の上端縁における少なくとも一部の厚みを、それよりも下側の部分の厚みよりも薄く設定すると、例えば枡のように周壁部の全体を同一の厚みに形成した場合と異なり、木製の容器としては新規な外観を得られる。
【００１６】
さらに、その上端縁の厚みを薄くすることを、内側面に傾斜面を形成することで行えば、容器を少し傾けただけでも、より大きく傾斜させたような状態が得られ、内容物を出しやすい。このため、例えば寝た姿勢の病人等に飲食物を提供する場合に便利であり、材質が木であるが故に病人等にぬくもりや安堵感を与えることができる。同時に、透光性材料からなる底板部の存在ゆえに見た目の面白さを与えることもできる。
【００１７】
そしてまた、上記上端縁の厚みを、該上端縁を人体の唇に当てたときに唇に埋没して、上記上端縁の唇近傍の上面と、唇の上面とが面一になる厚みに設定すると、容器を傾斜して内容物が容器から口に移行するときに段差がなくなり、内容物の移行が円滑に行われ、零れることはなく、飲みやすいなどの効果を達成できる。
【００１８】
【考案の実施の形態】
この考案の一実施の形態を、以下図面を用いて説明する。
図１は、方形の枡形をなす容器１１の斜視図であり、図２の断面図に示すように、内容物を収容する凹所１２を形成する底板部１３と周壁部１４とで材料を違えて構成している。
【００１９】
上記底板部１３は、正方形板状で、透明なガラス板で形成している。無色透明のほか、有色透明、半透明、乳白色等、光を透過させる性質があればよい。材質は、アクリル等の合成樹脂であるもよい。
【００２０】
上記周壁部１４は、ヒノキや杉などの適宜の木材で形成しており、方形板状の４枚の周壁形成板１５…からなる。各周壁形成板１５…は、内側面の下端部に、底板部１３の縁を嵌合する嵌合溝１５ａを形成し、左右両側縁には、相互間で接合する接合面１５ｂを形成している。これら接合面１５ｂ同士を接着剤で接着することで、底板部１３を保持した状態に一体化する。
【００２１】
また、各周壁形成板１５は、例えば１０ｍｍ程度の、枡のように厚手の板材で形成しており、各周壁形成板１５の上端縁、すなわち周壁部１４の上端縁１４ａには、薄手の飲み口を形成している。飲み口は、その下側の部分の厚みよりも薄く形成すればよいが、好ましくは、上記上端縁１４ａを人体の唇１６に当てたときに唇１６に埋没して、上端縁１４ａの唇近傍の上面１４ｂと、唇１６の上面１６ａとが面一になる厚みｔであるのがよい（図３（ｄ）参照）。すなわち具体的には、その厚みｔは、５ｍｍ以下であるのがよく、より好ましくは、１〜３ｍｍ程度であるとよい。
【００２２】
このような上端縁１４ａ（飲み口）を形成するため、図１、図２に例示の容器１１では、各周壁形成板１５の内側面は、底板部１３にいたる位置まで斜めに傾斜する長い傾斜面１４ｃで形成している。
【００２３】
このような傾斜面１４ｃを形成することによって、上端縁１４ｃ（飲み口部分）が薄い新規な外観を得られるとともに、次のような利点を有する。すなわち上端縁１４ａから底に至るまで傾斜面１４ｃを形成しているので、容器１１を少し傾けただけでも、より大きな角度傾けたのと同じにすることができる。つまり少ない傾斜で、内容物の注ぎ出しができる。このため、内容物を口に入れる時に口をつけた部分の反対側が鼻に当たる事を阻止でき、飲みやすくすることができるるとともに、寝た姿勢の病人等に内容物を与えることが容易になる。しかももっとも目立つ周壁部１４の材質が木であるが故に病人等にぬくもりや安堵感を与えることができると同時に、ガラスからなる底板部１３の存在ゆえに見た目の面白さを与えることもできる。
【００２４】
上記上端部１４ａ（飲み口）は、図３に示したように形成するもよい。図３（ａ）は、上述のように内側面に傾斜面１４ｃを形成した例であるが、傾斜面１４ｃは上端部のみに形成している。（ｂ）は、外側面の上端部のみに傾斜面１４ｃを形成した例である。（ｃ）は、内外両側面の上端部に傾斜面１４ｃを形成した例である。（ｄ）は、上端縁１４ａ（飲み口）の厚みｔを上述例のように設定した時の作用状態の説明図で、上端縁１４ａの唇１６近傍の上面１４ｂと唇１６の上面１６ａとを面一にできるので、こぼれることをなくし、飲みやすくすることができる。
【００２５】
図４は、容器１１に酒等の透光性を有する飲料１７（内容物）を注いだときの平面図であり、この図に示したように、きらきら光を反射する飲料１７表面の下に、同じくきらきら光る底板部１３と、その下方を透視することができる。
【００２６】
つまりこの容器１１によれば、底板部１３と周壁部１４とからなる容器のうち、底板部１３をガラスで形成し、その他の周壁部１４を木材で形成したので、容器１１を上から見れば底板部１３が見えるとともに、その下の様子まで透けて見える。また接地状態でも持ち上げた状態でも、下から光が入れば、内容物を照らせるので、内容物によっては見た目に美しさを得られ、その場の演出効果が期待できる。また、容器の形態によっては斜めから見ても底板部が見える。このように、ガラス製造の底板部１３の存在により、新規な外観が得られる。
【００２７】
しかも、外観上もっとも目立つ部分である周壁部１４は木材からなるので、木製の容器としての外観を得られ、和の雰囲気を有する容器１１とすることができる。
【００２８】
また底板部１３を、木材よりも比重の高いガラスで形成したので、重心を低くすることができ、接地時の安定感を良くすることができる。また、手に持ったときに木材のみからなる容器とは異なった重量感を得ることもでき、外観以外の実質的な使用感においても、新規な容器を得ることができる。
【００２９】
さらに周壁部１４の上端縁１４ａの厚みを、それよりも下側の部分の厚みよりも薄く設定しているので、例えば枡のように周壁部の全体を同一の厚みに形成した場合と異なり、木製の容器としては新規な外観を得られる。
【００３０】
以下に、他の例に係る容器１１を説明する。なお、上述例の構成と同一の構成部分については同一の符号を付して、詳しい説明を省略する。
【００３１】
図５、図６に示した容器は、同じく枡形の容器１１であるが、周壁部１４の上端縁１４ａを、それよりも下側の部分の厚みよりも薄く設定するために、外側面の上端部に形成した傾斜面１４ｃと、内側面の全体に傾斜した傾斜面１４ｃとを形成した例である。また、周壁部１４の外側面における下端部には、下端側ほど薄くなる装飾用の傾斜面１４ｄを形成している。
【００３２】
図７、図８は、上記各容器１１よりも凹所１２の深さを浅くして椀として使用できるようにした角椀形の容器である。平面視形状は、六角形等の他の多角形や円形であるもよい。
【００３３】
図９、図１０は、例えばビールやワイン、ジュース等の飲料に適した容器１１であり、底板部１３を円形に形成するとともに、周壁部１４を一部材からなる円筒状に形成している。底板部１３と周壁部１４との一体化は、底板部１３を周壁部１４に対して下から嵌めた後、リング状の止め部材１８を嵌め付けて、接着剤等により固定すればよい。周壁部１４は、上述のように一部材で構成するほか、樽のように、複数の部材を周方向で接合一体化して構成するもよい。形状も平面視方形、その他の多角形等であるもよい。
【００３４】
図１１は、水差しとしての容器１１の例であり、平面視形状を三角形に設定している。
【００３５】
図１２は、皿としての容器１１の例であり、浅い凹所１２と、外周方向に広がる形状の周壁部１４とを有している。周壁部１４は一部材で形成し、この例では底板部１３を正方形に形成するのに対して、周壁部１４の平面視形状を八角形に形成している。
【００３６】
以上はこの考案の一実施の形態であって、この考案は、上述の構成のみに限定されるものではない。例えば、底板部１３に、彫刻を施したり彫刻様の凹凸模様を形成したりして、装飾を施すもよく、また容器は、飲料や食料のもの以外にも、例えば、ペン皿、カードケース等の各種日用品等であるもよい。
【００３７】
【図面の簡単な説明】
【図１】容器の斜視図。
【図２】容器の断面図。
【図３】要部説明図。
【図４】作用状態の平面図。
【図５】他の例に係る容器の斜視図。
【図６】他の例に係る容器の断面図。
【図７】他の例に係る容器の斜視図。
【図８】他の例に係る容器の断面図。
【図９】他の例に係る容器の斜視図。
【図１０】他の例に係る容器の断面図。
【図１１】他の例に係る容器の斜視図。
【図１２】他の例に係る容器の斜視図。
【符号の説明】
１１…容器
１２…凹所
１３…底板部
１４…周壁部
１４ａ…上端縁
１４ｂ…上端縁の唇近傍の上面
１４ｃ…傾斜面
１６ａ…唇の上面
【図１】
0003098664.tif 000003
【図２】
0003098664.tif 000004
【図３】
0003098664.tif 000005
【図４】
0003098664.tif 000006
【図５】
0003098664.tif 000007
【図６】
0003098664.tif 000008
【図７】
0003098664.tif 000009
【図８】
0003098664.tif 000010
【図９】
0003098664.tif 000011
【図１０】
0003098664.tif 000012
【図１１】
0003098664.tif 000013
【図１２】
0003098664.tif 000014